(57)【特許請求の範囲】
【請求項１】
圧縮された画像データを伝送する画像データ伝送方法において、
拘束長を有限長とする上記画像データのデータブロツク毎にヘツダを配し、
編集時におけるカツトイン／アウトポイントを示すフイールドＩＤと、該フイールドＩＤ以前又は以降が有効であることを示すフラグ情報とを、上記ヘツダに配する
ことを特徴とする画像データ伝送方法。
【発明の詳細な説明】
【０００１】
【産業上の利用分野】
本発明は画像データ伝送方法に関し、特に編集を必要とする画像データを圧縮符号化して伝送する場合に適用し得る。
【０００２】
【従来の技術】
従来、放送局等の番組制作現場では、ＥＮＧ（ｅｌｅｃｔｒｏｎｉｃ  ｎｅｗｓ  ｇａｔｈｅｒｉｎｇ  ）やＥＦＰ（ｅｌｅｃｔｒｏｎｉｃ  ｆｉｅｌｄ  ｐｒｏｄｕｃｔｉｏｎ  ）等のようなオンライン電子編集システムがある。この電子編集システムに画像データの圧縮符号化の技術を導入する場合には、バツフアメモリの制約から、画像データの伝送や記録再生、さらに編集等に対してリアルタイム性が必須条件とされてきた。
【０００３】
【発明が解決しようとする課題】
ところがこのようなリアルタイム性のため、１フイールド内のデータ数や拘束長等にその影響が出て、データ数を減らすと拘束長が大きくなり、逆に拘束長を小さくしようとするとデータ数が多くなるという矛盾が生じ、有効な圧縮率が見い出せないという問題があつた。
【０００４】
特に編集の場面では、１フイールド毎のリアルタイム編集のイメージが強く、インターフイールド／フレームの圧縮符号化コードは採用不可能と考えられて、結局イントラフイールド／フレームのみのＪＰＥＧのような圧縮符号化が使用されてきた。ところがこの場合、動画のインターフレーム相関分を逆に損うことになり、動的なノイズの増加のため、圧縮率を大幅に向上させることができず、結局画像データについての圧縮符号化の技術を、ＥＮＧ等のオンライン電子編集システムに取入れることができなかつた。
【０００５】
本発明は以上の点を考慮してなされたもので、画像データを圧縮符号化して伝送する際に、編集にも容易に対応し得る画像データ伝送方法を提案しようとするものである。
【０００６】
【課題を解決するための手段】
かかる課題を解決するため本発明においては、圧縮符号化された画像データ（ＤＴｎ）を伝送する画像データ伝送方法において、圧縮符号化されたコードの拘束長（Ｌｎ）を有限長とすると共に、拘束ブロツク毎に復号化のためのヘツダ（Ｈｎ）を配し、編集時におけるカツトイン／アウトポイントを示すフイールドＩＤと、該フイールドＩＤ以前又は以降が有効であることを示すフラグ情報とを、上記ヘツダに配するようにした。
【０００７】
また本発明においては、フラグ情報（Ｆｎ  ）を用いて圧縮符号化されたコードを組み変えずに、カツト編集するようにした。
【０００８】
【作用】
圧縮符号化されたコードの拘束長（Ｌｎ）を有限長とすると共に、拘束ブロツク毎に復号化のためのヘツダ（Ｈｎ）を配し、編集時におけるカツトイン／アウトポイントを示すフイールドＩＤと、該フイールドＩＤ以前又は以降が有効であることを示すフラグ情報とを、上記ヘツダに配するようにし、さらにそのフラグ情報（Ｆｎ）を用いて圧縮符号化されたコードを組み変えずに、カツト編集するようにしたことにより、画像データ（ＤＴｎ）を圧縮符号化して伝送する際に、編集にも容易に対応し得る。
【０００９】
【実施例】
以下図面について本発明の一実施例を詳述する。
【００１０】
図１において、１は全体として本発明による画像データ伝送方法を適用するＥＮＧ等の電子編集システムを示し、ＥＮＧ用のカメラ２で撮影された画像データが、デイスクメデイア３に録画されたり、公衆電話回線、ＩＳＤＮ回線、ＵＨＦ無線伝送等種々のデータ伝送手段４によつて、データポツド５へ伝送される。
【００１１】
データポツド５はデイスクメデイア３を再生する複数のデイスク再生装置６Ａ〜６Ｄや、データ伝送手段４を通じて伝送される画像データを受ける受信装置７と、パーソナルコンピユータ８の制御に基づいて、伝送される画像データを処理するデータプロセツサ９とで構成されている。このデータポツド５では、必要なカツトのみが選択されてビデオテープレコーダ（ＶＴＲ）１０へ番組として一本化されて録画されたり、また直接番組としてオンエアーされる。
【００１２】
この一連の電子編集システム１の処理中に使用される画像データの基本的なフオーマツトを図２（Ａ）に示す。図中データブロツクＤＴｎ  は画像データ部であり、Ｈｎ  は各データブロツクのヘツダである。Ｌｎ  はデータブロツクの長さで予め規定されたフイールド単位の拘束長に対応する。画像データの内容により拘束長Ｌｎ  は伸縮する。各フイールド単位の画像データ部ＤＴｎ  とヘツダＨｎ  については規定しないが、ヘツダＨｎ  中のフイールドのＩＤはデコードすることなくとれるものとする。
【００１３】
ヘツダＨｎ  には画像データ部ＤＴｎ  を元に復号化するために必要な情報が入れられており、その情報により前後のブロツクに影響されることなく、１拘束長分の画像フイールドが復元される。この実施例では、図２（Ｂ）に示すように、ヘツダＨｎ  の一部分にフラグ情報Ｆｎ  の有効フイールドＩＤを追加する。このフラグ情報Ｆｎ  としては、画像データ部ＤＴｎ  がオリジナル画像のとき無効フラグが入り、編集時にはカツトイン／アウトポイントを含むデータブロツクに、カツトイン／アウトポイントのフイールドＩＤが入る。なおこのフイールドＩＤは０〜拘束長までの値が設定される。同時に当該フイールドＩＤ以前又は以降が有効であることを示すフラグ情報が設定される。
【００１４】
ここで例えば２台のデイスク再生装置６Ａ、６Ｂで、それぞれ再生中の第１及び第２の番組ＰＧＭ１及びＰＧＭ２をカツト編集する動作を図３に示す。すなわちこの編集としては、カツトイン点として第１の番組ＰＧＭ１（図３（Ａ））のフイールドａから、第２の番組ＰＧＭ２（図３（Ｂ））のフイールドｂへつなぎ、カツトアウト点として第２の番組ＰＧＭ２のフイールドｄから、第１の番組ＰＧＭ１のフイールドｃへつなぐような編集を行い、ＶＴＲ１０に編集結果（図３（Ｃ））として記録する。
【００１５】
この場合、第１の番組ＰＧＭ１の図中２番目のデータブロツクのヘツダには、フイールドａを示すフイールドＩＤとフイールドａ以前が有効なことを表すフラグ情報「−」が付加され、また図中４番目のデータブロツクのヘツダには、フイールドｃを示すフイールドＩＤとフイールドｃ以降が有効なことを表すフラグ情報「＋」が付加されている。
【００１６】
同様に第２の番組ＰＧＭ２の図中２番目のデータブロツクのヘツダには、フイールドｂを示すフイールドＩＤとフイールドｂ以降が有効なことを表すフラグ情報「＋」が付加され、また図中４番目のデータブロツクのヘツダには、フイールドｄを示すフイールドＩＤとフイールドｄ以前が有効なことを表すフラグ情報「−」が付加されている。
【００１７】
この編集結果として、フイールドａを含むデータブロツクまで第１の番組ＰＧＭ１の内容が記録され、続いてフイールドｂを含むデータブロツクから第２の番組ＰＧＭ２の内容の記録が開始される。次にフイールドｄを含むデータブロツクまで第２の番組ＰＧＭ２の内容が記録され、続いてフイールドｃを含むデータブロツクから第１の番組ＰＧＭ１の内容の記録が開始される。
【００１８】
なおこの編集結果を再生する際には、少なくともデータブロツクの拘束長の最長データに対応するバツフアメモリを持ち、１データブロツクを一旦復元可能な状態におき、その上で有効フイールドＩＤを評価して実際に復元するフイールドを決定する。すなわち図３のような場合には、フイールドａを含むデータブロツクのフイールドａ以降からフイールドｂを含むデータブロツクのフイールドｂ以前の区間ｅのフイールドと、フイールドｄを含むデータブロツクのフイールドｄ以降からフイールドｃを含むデータブロツクのフイールドｃ以前の区間ｆのフイールドとは、実際には再生しないように制御される。
【００１９】
例えば拘束ブロツク長を８フイールドとし、１／３０圧縮を行つて１回／３秒の編集を行うと、１カツト毎に最大８×２Ｆ／３０のデータ量増加が生じる、これはデータレートにして４／４５（〜９％）の増加になる。通常の編集よりは編集レートははるかに低い（１回／５〜３０秒）と考えられるので、実質的にはデータレートの増加は本質的な問題とはならない。リアルタイム系ではないため、伝送、録再等の処理は必要レートをカバーしている必要があるが、実質最大レートを上限に設定しておけば、まずカタストロフイに落入ることはない。
【００２０】
ここで具体的なフオーマツトについて、例えばデータブロツクの拘束長を最大８フイールドとし、圧縮率を１／３０程度として以下に示す。実際上４：２：２、５２５／６０方式のデイジタル画像データを原画像とすると平均的な画像データブロツクには、次式
【数１】
0003565354.tif 000002
で表されるデータが存在する。ヘツダにはそれぞれの圧縮フオーマツトに従つて独自のヘツダ情報が入れられる。ここではブロツクコードの３バイト（６２時間分）分が入れられる。
【００２１】
次にカツトイン／アウトポイントのフイールドＩＤと、以前／以降を示すフラグ情報に対して１バイトを割当て、図４に示すように、ビツトを割り当てる。これによりカツトイン（１回目）のポイントにおける作成データは、図５に示すようになる。なおこのデータからさらに８フイールド以内の編集を行う（８フイールド以下のカツトをつくる）ことは現実的でないため、考慮していない。
【００２２】
以上の構成によれば、圧縮符号化されたコードの拘束長を有限長とすると共に、拘束ブロツク毎に復号化のためのヘツダを配し、ヘツダに対応する拘束ブロツクの最終有効フイールドを示すフラグ情報を配するようにし、さらにそのフラグ情報を用いて圧縮符号化されたコードを組み変えずに、カツト編集するようにしたことにより、画像データを圧縮符号化して伝送する際、編集にも容易に対応し得る。
【００２３】
またインターフイールド／フレームの相関を使つた圧縮コードの採用を可能にしながら、フイールド単位のカツト編集にも対応することが可能になる。具体的には平均レートで１／３０〜１／５０程度の圧縮が、フイールド単位のカツト編集を前提として可能になる。これはデイスク等の中容量メデイアを使つて２０分〜１時間程度の番組の収録が可能となることを示している。
【００２４】
なお上述の実施例においては、デイスク再生装置で再生した番組の画像データを編集して、ＶＴＲに番組として録画する場合について述べたが、カツト編集であれば、画像データの入力媒体や出力媒体は、デイスクやビデオテープに限らず、オンラインで入力されたり、直接オンエアーするような場合にも広く適用して好適なものである。
【００２５】
【発明の効果】
上述のように本発明によれば、圧縮符号化されたコードの拘束長を有限長とすると共に、拘束ブロツク毎に復号化のためのヘツダを配し、編集時におけるカツトイン／アウトポイントを示すフイールドＩＤと、該フイールドＩＤ以前又は以降が有効であることを示すフラグ情報とを、上記ヘツダに配するようにし、さらにそのフラグ情報を用いて圧縮符号化されたコードを組み変えずに、カツト編集するようにしたことにより、画像データを圧縮符号化して伝送する際、編集にも容易に対応し得る画像データ伝送方法を実現できる。
【図面の簡単な説明】
【図１】本発明による画像データ伝送方法を適用した電子編集システムの全体構成を示すブロツク図である。
【図２】本発明の画像データ伝送方法による画像データのフオーマツトの説明に供する略線図である。
【図３】図２の画像データを用いた編集動作の説明に供する略線図である。
【図４】図２の画像データのフオーマツトのうちヘツダの構成を示す略線図である。
【図５】図４のヘツダの構成に対応して画像データの編集結果を示す略線図である。
【符号の説明】
１……電子編集システム、２……カメラ、３……デイスクメデイア、４……データ伝送手段、５……データポツド、６Ａ〜６Ｄ……デイスク再生装置、７……受信装置、８……パーソナルコンピユータ、９……データプロセツサ、１０……ＶＴＲ。
【図１】
0003565354.tif 000003
【図２】
0003565354.tif 000004
【図３】
0003565354.tif 000005
【図４】
0003565354.tif 000006
【図５】
0003565354.tif 000007